(57)【特許請求の範囲】
【請求項１】
板状部を有するケースと、ケース内に設けられ塗膜転写テープを巻回した繰出リールと、ケース内に設けられ繰出リールから繰り出されて使用された使用済みテープを巻き取る巻取リールと、繰出リールと巻取リール間で回転をスリップ可能に伝達する伝達手段と、繰出リールと巻取リールとの間を走行するテープの走行経路途中に設けられ被転写面に押し当てられる塗布片と、を有する塗膜転写具において、
ケースの板状部から突出して、塗布片の一般面に接触し該塗布片を該一般面に略垂直な方向に弾性的に押圧する弾性押圧体が設けられることを特徴とする塗膜転写具。
【請求項２】
前記弾性押圧体は、ケースの板状部から一体に突設されたものである請求項１記載の塗膜転写具。
【請求項３】
前記弾性押圧体と一体となったケースの板状部には、板状部に略直交する方向から見て前記弾性押圧体に重なり合う部分に、横窓が形成される請求項２記載の塗膜転写具。
【請求項４】
前記ケースの横窓の縁部には、前記弾性押圧体の移動を規制する規制手段が設けられる請求項３記載の塗膜転写具。
【請求項５】
前記弾性押圧体と一体に、塗布片の基部を支持する支持体が形成される請求項１ないし４のいずれか１に記載の塗膜転写具。
【請求項６】
前記ケースは、上ケースと下ケースとが結合されたものからなり、上ケース及び下ケースのいずれか一方には、前記繰出リールまたは前記巻取リールを軸支する突設軸が形成されており、該突設軸は互いにその先端が分離され対向する一対の係止片を有し、各係止片の先端には係止部が形成されており、上ケース及び下ケースのいずれか他方には、該係止部に係止されて前記一対の係止片間に挟持される係止突起が突設されると共に、係止突起の周囲に前記係止部に対応してスリットが形成されてなる請求項１ないし請求項５のいずれか１項に記載の塗膜転写具。
【発明の詳細な説明】
【０００１】
【発明の属する技術分野】
本発明は、修正テープ、蛍光テープまたは粘着テープ等の塗膜転写テープから塗膜を転写することにより消し具、マーカまたは糊等として使用することができる塗膜転写具に関する。
【０００２】
【従来の技術】
従来、この種の塗膜転写具としては、ケース内に設けられ塗膜転写テープを巻回した繰出リールと、ケース内に設けられ繰出リールから繰り出されて使用された使用済みテープを巻き取る巻取リールと、繰出リールと巻取リール間で回転をスリップ可能に伝達する伝達手段と、繰出リールと巻取リールとの間を走行するテープの走行経路途中に設けられ被転写面に押し当てられる塗布片と、を有するものが一般的に市販されている。
【０００３】
【発明が解決しようとする課題】
ところで、塗布片を用いてテープを被転写面にきれいに転写し、または転写し終わったテープを被転写面からきれいに切断するためには、塗布片を被転写面に対して適正な角度にさせる必要があり、そのためには、塗布片の先端がある程度ケースに対して弾性変位する必要がある。
【０００４】
しかしながら、従来の塗膜転写具では、塗布片自身に弾性を持たせて変形させようとしているために、その弾性変位に限界があり、また塗布片の製造が困難であるという問題がある。
【０００５】
本発明はかかる課題に鑑みなされたもので、塗布片の製造を容易にすると共に、塗布片が弾性的な変位を行うことができる塗膜転写具を提供する。
【０００６】
【課題を解決するための手段】
上記目的を達成するために、請求項１記載の発明は、板状部を有するケースと、ケース内に設けられ塗膜転写テープを巻回した繰出リールと、ケース内に設けられ繰出リールから繰り出されて使用された使用済みテープを巻き取る巻取リールと、繰出リールと巻取リール間で回転をスリップ可能に伝達する伝達手段と、繰出リールと巻取リールとの間を走行するテープの走行経路途中に設けられ被転写面に押し当てられる塗布片と、を有する塗膜転写具において、
ケースの板状部から突出して、塗布片の一般面に接触し該塗布片を該一般面に略垂直な方向に弾性的に押圧する弾性押圧体が設けられることを特徴とする。
【０００７】
また、請求項２記載の発明は、請求項１記載の前記弾性押圧体が、ケースの板状部から一体に突設されたものであることを特徴とする。
【０００８】
また、請求項３記載の発明は、請求項２記載の前記弾性押圧体と一体となったケースの板状部の、板状部に略直交する方向から見て前記弾性押圧体に重なり合う部分に、横窓が形成されることを特徴とする。
【０００９】
また、請求項４記載の発明は、請求項３記載の前記ケースの横窓の縁部に、前記弾性押圧体の移動を規制する規制手段が設けられることを特徴とする。
【００１０】
また、請求項５記載の発明は、請求項１ないし４のいずれか１項に記載の前記弾性押圧体と一体に、塗布片の基部を支持する支持体が形成されることを特徴とする。
【００１１】
また、請求項６記載の発明は、請求項１ないし５のいずれか１項に記載の前記ケースが、上ケースと下ケースとが結合されたものからなり、上ケース及び下ケースのいずれか一方には、前記繰出リールまたは前記巻取リールを軸支する突設軸が形成されており、該突設軸は互いにその先端が分離され対向する一対の係止片を有し、各係止片の先端には係止部が形成されており、上ケース及び下ケースのいずれか他方には、該係止部に係止されて前記一対の係止片間に挟持される係止突起が突設されると共に、係止突起の周囲に前記係止部に対応してスリットが形成されてなる。
【００１２】
【発明の実施の形態】
以下、図面を用いて本発明の実施の形態を説明する。図１は、本発明の塗膜転写具の実施の形態を表す一部破断図である。
【００１３】
図において、１０はケースであり、ケース１０は上ケース１２と下ケース１４とから構成され、これらは、後述するように結合されて閉空間を形成すると共に、該閉空間の一端に開口１０ｂを形成している。
【００１４】
該ケース１０内には、塗膜転写テープ１８ａを巻回した繰出リール２０と、同じくケース１０内に設けられ繰出リール２０から繰り出されて使用された使用済みテープ１８ｂを巻取る巻取リール２２と、がそれぞれ回動可能に軸支される。即ち、下ケース１４の板状部１４ａから突設された突設軸１４ｂ、１４ｃに回動可能にはめ込まれたボス部３１ａ、３１ｂに、それぞれ繰出リール２０及び巻取リール２２が取り付けられている。
【００１５】
図２に示したように、下ケース１４の突設軸１４ｂは、互いにその先端が分離された複数の片（図示の例では４つの片）から構成されており、複数のうちの対向する一対の片が、上方まで伸び、その上端内側に係止部１４ｂ２が形成された係止片１４ｂ１、１４ｂ１となっている。一方の上ケース１２には、この係止部１４ｂ２に係止されて係止片１４ｂ１、１４ｂ１に挟持される係止突起１２ｃが突設されている。係止突起１２ｃの周囲には、スリット１２ｄが形成されており、係止部１４ｂ２がスリット１２ｄ内に進入している。上ケース１２と下ケース１４とは、この係止片１４ｂ１、１４ｂ１が係止突起１２ｃに係止されることで、結合されている。また、これ以外に適宜、上ケース１２と下ケース１４のいずれか一方に突起と、いずれか他方に該突起を収容する嵌合穴を有する突設軸（ガイドピン１４ｄを兼ねていても良い）を設けることができ、突起が嵌合穴にはめ込まれる。係止部１４ｂ２が、スリット１２ｄに対応しており、スリット１２ｄを通して外部から操作可能となっているため、上ケース１２と下ケース１４とを結合させた後、内部の調整を行う必要が出たときには、スリット１２ｄから治具等を用いて２つの該係止部１４ｂ２の間を互いに広げて係止部１４ｂ２と係止突起１２ｃとの係止を外すことにより、上ケース１２を下ケース１４から取り外すことができるようになっている。尚、繰出リール２０を軸支する突設軸１４ｂを係止片１４ｂ１、１４ｂ１で構成する代わりに、巻取リール２２を軸支する突設軸１４ｃを同様の構成にし、対応する上ケース１２の位置に係止突起を設けることも勿論可能である。
【００１６】
また、開口１０ｂには塗布片２４が設けられている。塗布片２４の先端部２４ｂの両側には、テープ１８をガイドする縦壁２４ｃが一体に形成されている。塗布片２４は、その一般面が上ケース１２または下ケース１４の板状部１２ａ、１４ａの一般面に対して略垂直になっており、下ケース１４の板状部１４ａから突出する支持体２６によって、塗布片２４の基部２４ａが支持されている。支持体２６は、基部２４ａを３方から包囲しているが、塗布片２４が支持体２６に対して変位することができるように、両者の間には隙間２８（図７参照）が形成されている。
【００１７】
支持体２６と一体に、即ち下ケース１４の板状部１４ａから一体に突設するようにして、弾性押圧体である弾性押圧腕３０が形成されている。弾性押圧腕３０の先端部３０ａは、塗布片２４の中間部分にある塗布片２４の一般面に接触して、塗布片２４をその一般面に略垂直な方向に弾性的に押圧している。下ケース１４の板状部１４ａには、弾性押圧腕３０を下ケース１４と一体に成形するために、板状部１４ａの垂直方向から見て上記弾性押圧腕３０と重なり合う部分に、横窓１４ｅが形成されている。図３ないし図７に示したように、先端部３０ａの上下方向一端部が横窓１４ｅ内へと伸びており、横窓１４ｅの縁（規制手段）によって先端部３０ａの変位範囲が規制される。同じく先端部３０ａの上下方向他端部は上ケース１２の凹部１２ｂに遊嵌されており、変位範囲が規制されている。弾性押圧腕３０に弾性を持たせる為、弾性押圧腕３０と一体成形される下ケース１４は、弾性に優れたポリプロピレン、ＡＢＳ樹脂等で構成することができるが、弾性押圧腕３０の形状によって弾性を確保することもできるので、スチロール樹脂、ＡＳ樹脂等で構成することもできる。
【００１８】
塗布片２４は、繰出リール２０と巻取リール２２との間を走行するテープ１８（塗膜転写テープ１８ａと使用済みテープ１８ｂをあわせてテープ１８という）の走行経路途中に設けられる。塗膜転写テープ１８ａは、例えばプラスチック基材フィルムの上に剥離剤層を介して、白色塗料層等の目的とする塗膜層を積層し、さらにその上に感圧接着剤等の粘着剤層を積層したものからなる。繰出リール２０から繰り出された塗膜転写テープ１８ａは、ケース１０内に適宜設けられたガイドピン１４ｄに案内されて、開口１０ｂからケース１０外に出て塗布片２４の先端部２４ｂの回りを配索される。塗膜転写テープ１８ａは、塗布片２４の先端部２４ｂで被転写面に押圧されて被転写面に転写されると、使用済みテープ１８ｂとなる。使用済みテープ１８ｂは、再び開口１０ｂからケース１０内へと戻り、ガイドピン１４ｄに案内されて、巻取リール２２へと巻取られる。
【００１９】
前記ボス部３１ａ、３１ｂは、それぞれ歯車３２ａ、３２ｂと一体となっている。歯車３２ａ及び歯車３２ｂは互いに噛み合って伝達機構を構成しており、繰出リール２０と巻取リール２２とは、前記歯車３２ａ、３２ｂによって連動し、繰出リール２０の繰出方向の回転にともなって、巻取リール２２が巻取方向に回転して使用済みテープ１８ｂを巻取るように構成される。図２に示したように、ボス部３１ａは、互いに周方向に分離した複数のボス片３１ａ−１、３１ａ−２、３１ａ−３（図の例では３つであり、ボス片３１ａ−３は紙面の手前側にあって図２では見えない）からなり、各ボス片の内側には、前記係止片１４ｂに当接する内側突起３１ｃ、３１ｅが形成され、各ボス片の外側には、外側突起３１ｄが形成されている。内側突起３１ｃ、３１ｅは、各ボス片の上下端部にそれぞれ形成されており、外側突起３１ｄは、内側３１ｃ、３１ｅの上下方向中間部分に形成されている。従って、外側突起３１ｄに対応する部分の内側は空間となっている。外側突起３１ｄが繰出リール２０のコア２０ａに当接しており、複数のボス片３１ａ−１、３１ａ−２、３１ａ−３の外側突起３１ｄがそれぞれ外径方向に突っ張ることでコア２０ａを支持している。ボス部３１ａが周方向に分離された複数のボス片からなるために、繰出リール２０の装着作業を行うときには、各ボス片が内径方向に撓み、装着作業が簡単に行うことができるようになっている。その一方で、繰出リール２０の装着後は、外側突起３１ｄに対応する部分の内側が空間となっているために、内側突起３１ｃと３１ｅの間のボス片が撓み、外側突起３１ｄの位置が適宜調整されることにより、ボス部３１から繰出リール２０のコア２０ａへの突っ張り力が最適なものとなる。こうして、常時は、ボス部３１は繰出リール２０と一体に回動するのに対して、繰出速度よりも巻取速度が早くなってテープに大きな張力がかかったときには、ボス部３１ａの外側突起３１ｄと繰出リール２０との間でスリップが生じるようになっている。
【００２０】
以上のように構成される塗膜転写具を使用する場合には、図８に示すように、使用者が塗布片２４の先端部２４ｂを被転写面に押し当てながら、被転写面に沿って動かすと、塗膜転写テープ１８ａの粘着剤層が被転写面に粘着して、粘着剤層と共に塗膜層が転写される。このときに、塗布片２４は、前記弾性押圧腕３０の方に押し付けられて弾性押圧腕３０からの弾性力を受ける。塗布片２４は、基部２４ａにおいて支持体２６との間に隙間２８があるので、その分、弾性押圧腕３０の方に向かって変位し、弾性押圧腕３０からの弾性力を受けながら、被転写面に押し当てられる。この状態で、塗布片２４を転写したい箇所に沿って移動させることにより、繰出リール２０から塗膜転写テープ１８ａが繰り出され、繰出リール２０と共に回動する巻取リール２２に、塗膜転写テープ１８ａから塗膜層及び粘着材層が剥離された使用済みテープ１８ｂが巻き取られていく。被転写面の所望の箇所に転写した後、使用者が塗布片２４にさらなる力を加えて被転写面に押し当てて、塗布片２４の後部を持ち上げると（仮想線で示す）、塗布片２４は、弾性押圧腕３０から一層大きな弾性力を受けて変位し、被転写面に対して起立することとなる。これにより、被転写面に転写された塗膜層及び粘着剤層と、塗布片２４の先端部２４ｂにあって塗膜転写テープ１８ａ上にある塗膜層及び粘着層との間が切断される。塗布片２４が弾性押圧腕３０の弾性を利用して変位し、きれいな切断線となる。
【００２１】
以上のようにこの実施の形態では、弾性押圧腕３０を備えているため、塗布片２４に十分な弾性力を与えることができ、被転写面から塗布片２４が受ける力を緩衝すると共に、塗布片２４を被転写面に対して、塗膜層及び粘着剤層の転写時及び塗膜層及び粘着剤層の切断時に、それぞれ所望の角度にさせることができる。よって、転写を続けるときには塗膜層及び粘着剤層が切断することなく、確実に塗布片２４から被転写面へと供給され、また、転写を終了するときには、塗膜層及び粘着剤層がきれいに切断することとなる。
【００２２】
図９は、本発明の他の実施形態を表している。尚、第１実施形態と同様の部材については、同一の符号を付し、その詳細説明を省略する。
【００２３】
この例では、下ケース１４の横窓１４ｅの一縁部から規制手段としての突起１４ｆが伸びており、その代わりに、弾性押圧腕３０’の先端部３０ａ’は、横窓１４ｅまで伸びていない点で第１実施形態と異なっており、弾性押圧腕３０’が突起１４ｆによってその変位範囲が規制される。この実施形態でも図１の実施形態と同様の作用・効果が得られる。
【００２４】
また、上記以外に種々の変形を行うことができる。例えば、図１０に示した例では、弾性押圧腕３０”が下ケース１４と別体となっている点で第１実施形態と異なっており、弾性押圧腕３０”の基部には非円形断面の孔が穿設されており、一方の下ケース１４には、該非円形断面の孔に嵌合する非円形断面の支持柱１４ｇが形成されている。こうして弾性押圧腕３０”の基部は下ケース１４に対して回り止めされており、実質的に下ケース１４に固定されている。これに対して弾性押圧腕３０”の先端部は、下ケース１４の板状部１４ａに沿って変位することができるようになっており、第１実施形態と同様である。このように弾性押圧腕３０”が下ケース１４及び支持体２６と別体となっていても図１の実施形態と同様の作用・効果が得られる。また、図１１に示した例では、弾性押圧腕３０及び支持体２６と共に１つのガイドピン３４が一体に形成されているものであり、図１の実施形態と同様の作用・効果が得られる。
【００２５】
【発明の効果】
以上説明したように、請求項１ないし請求項６記載の発明によれば、弾性押圧体によって塗布片が十分な弾性力を受ける為に、被転写面から塗布片が受ける力を緩衝すると共に、塗膜層及び粘着剤層の転写時及び塗膜層及び粘着剤層の切断時に、それぞれ塗布片を被転写面に対して適正な角度にさせることができる。よって、転写を続けるときには塗膜層及び粘着剤層が切断することなく、確実に転写具から被転写面へと供給され、また、転写を終了するときには、塗膜層及び粘着剤層がきれいに切断することとなる。
【００２６】
請求項２記載の発明によれば、弾性押圧体がケースと一体であるため、部品点数の増加を伴うことなく、弾性押圧体を設けることができる。
【００２７】
請求項３記載の発明によれば、横窓が形成されるため、弾性押圧体をケースと共に簡単に成形することができる。
【００２８】
請求項４記載の発明によれば、規制手段によって弾性押圧体の移動が規制されるため、塗布片の変位量も規制することができる。
【００２９】
請求項５記載の発明によれば、支持体も弾性押圧体と一体とするため、部品点数の増加を伴うことなく、塗布片を支持することができる。
【００３０】
請求項６記載の発明によれば、上ケース及び下ケースのいずれか他方に突設された係止突起を、上ケース及び下ケースのいずれか一方の係止部に係止させ、一対の係止片に挟持させることにより、上ケースと下ケースとを結合することができると共に、結合した後に、上ケースと下ケースとの結合を外したい場合が生じたときには、係止部に対応して形成されたスリットから係止部を操作して、係止突起の係止を外すことができ、上ケースと下ケースとの結合を解くことができる。
【図面の簡単な説明】
【図１】本発明に係る塗膜転写具の第１実施形態を表す一部破断図である。
【図２】図１の２−２線に沿って見た断面図である。
【図３】図１の３−３線に沿って見た断面図である。
【図４】図１の下ケースの部分平面図である。
【図５】図４の５−５線に沿って見た断面図である。
【図６】図４の６−６線に沿って見た断面図である。
【図７】図４の一部拡大図である。
【図８】図１の塗膜転写具の使用状態を表す図である。
【図９】本発明の他の実施形態を表す要部断面図である。
【図１０】本発明のさらに別の実施形態を表す要部断面図である。
【図１１】本発明のさらに別の実施形態を表す図１相当図である。
【符号の説明】
１０  ケース
１２  上ケース
１２ａ  板状部
１２ｃ  係止突起
１２ｄ  スリット
１４  下ケース
１４ａ  板状部
１４ｂ  突設軸
１４ｂ１  係止片
１４ｂ２  係止部
１４ｅ  横窓
１４ｆ  突起（規制手段）
１８  テープ
２０  繰出リール
２２  巻取リール
２４  塗布片
２６  支持体
３０、３０’、３０”  弾性押圧腕（弾性押圧体）
３２ａ、３２ｂ  歯車（伝達機構）
【図１】
0003618586.tif 000002
【図２】
0003618586.tif 000003
【図３】
0003618586.tif 000004
【図４】
0003618586.tif 000005
【図５】
0003618586.tif 000006
【図６】
0003618586.tif 000007
【図７】
0003618586.tif 000008
【図８】
0003618586.tif 000009
【図９】
0003618586.tif 000010
【図１０】
0003618586.tif 000011
【図１１】
0003618586.tif 000012